【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
動画像データを再生する動画像再生装置において、
動画像ファイルに格納された動画像データに基づいて代表画像と動画像管理データとを生成する生成手段と、
前記生成手段によって生成された代表画像と動画像管理データとを、前記動画像ファイルに対応づけて動画像サムネイルファイルに格納する第１の格納手段と、
前記動画像ファイルに格納された動画像データに基づいて、該動画像データを再生する再生手段と、
前記再生手段による再生の途中で前記動画像データの再生が中断したとき、該中断時点の動画像ファイルオフセットおよびフレームサイズを前記動画像サムネイルファイルに格納する第２の格納手段と、
前記第２の格納手段によって格納された動画像ファイルオフセットおよびフレームサイズに基づいて、前記動画像データの中断された再生を再開させる再開手段と
を有することを特徴とする動画像再生装置。
【請求項２】
前記第２の格納手段は、前記動画像データの再生が中断した時点の画像データを前記動画像サムネイルファイルに格納することを特徴とする請求項１記載の動画像再生装置。
【請求項３】
前記動画像ファイルを編集する編集手段と、
前記編集手段によって前記動画像ファイルの編集が行われたとき、前記動画像サムネイルファイルに格納された動画像管理データを破棄する破棄手段と
を更に有することを特徴とする請求項１記載の動画像再生装置。
【請求項４】
前記再開手段は、前記第２の格納手段によって格納された動画像ファイルオフセットおよびフレームサイズに基づいて、再生開始時に再生開始フレームを決定する再生開始フレーム決定手段を含むことを特徴とする請求項１記載の動画像再生装置。
【請求項５】
前記第２の格納手段は、前記動画像データの再生が中断したとき、該中断時点の動画像ファイルオフセット、フレームサイズ、およびフレーム番号を前記動画像サムネイルファイルに格納し、
前記動画像データの中断された再生を再開させるとき、前記動画像サムネイルファイルに格納された動画像ファイルオフセット、フレームサイズ、およびフレーム番号と、前記動画像ファイルとの整合性を確認する整合性確認手段と、
前記整合性確認手段において整合性の確認がとれなかった場合、前記動画像ファイルにおける先頭フレームを再生開始フレームとする再生開始フレーム決定手段と
を更に有することを特徴とする請求項１記載の動画像再生装置。
【請求項６】
前記第２の格納手段は、前記動画像データの再生が中断したとき、該中断時点の動画像ファイルオフセット、フレームサイズ、およびフレーム番号を前記動画像サムネイルファイルに格納し、
前記動画像データの中断された再生を再開させるとき、前記動画像サムネイルファイルに格納された動画像ファイルオフセット、フレームサイズ、およびフレーム番号と、前記動画像ファイルとの整合性を確認する整合性確認手段と、
前記整合性確認手段において整合性の確認がとれなかった場合、警告を表示するとともに、動画像データ再生を禁止する再生禁止手段と
を更に有することを特徴とする請求項１記載の動画像再生装置。
【請求項７】
前記動画像データに含まれる所定の静止画像データを印刷装置へ送出する送出手段と、
前記送出手段によって前記印刷装置に送出された所定の静止画像データに関する情報を
前記動画像サムネイルファイルに格納する第３の格納手段と
を更に有することを特徴とする請求項１記載の動画像再生装置。
【請求項８】
前記所定の静止画像データに関する情報は、フレーム番号、動画像ファイルオフセット、およびフレームサイズを含むことを特徴とする請求項７記載の動画像再生印刷装置。
【請求項９】
動画像データを再生および編集する動画像再生編集装置において、
動画像データの所定部分を切り取る編集手段と、
動画像ファイルに格納された動画像データに基づいて代表画像と動画像管理データとを生成する生成手段と、
前記生成手段によって生成された代表画像と動画像管理データ、並びに先頭フレームの記録日時を、前記動画像ファイルに対応づけて動画像サムネイルファイルに格納する第１の格納手段と、
前記動画像ファイルに格納された動画像データに基づいて、該動画像データを再生する再生手段と、
前記再生手段による再生の途中で前記動画像データの再生が中断したとき、該中断時点の動画像ファイルオフセットおよびフレームサイズを前記動画像サムネイルファイルに格納する第２の格納手段と、
前記編集手段によって、前記動画像データの先頭フレームを含む所定部分が切り取られたとき、前記動画像サムネイルファイルに格納された先頭フレームの記録日時を変更する先頭フレーム記録日時変更手段と
を有することを特徴とする動画像再生編集装置。
【請求項１０】
動画像データを再生する動画像再生装置に適用される動画像再生方法において、
動画像ファイルに格納された動画像データに基づいて代表画像と動画像管理データとを生成する生成ステップと、
前記生成ステップにおいて生成された代表画像と動画像管理データとを、前記動画像ファイルに対応づけて動画像サムネイルファイルに格納する第１の格納ステップと、
前記動画像ファイルに格納された動画像データに基づいて、該動画像データを再生する再生ステップと、
前記再生ステップによる再生の途中で前記動画像データの再生が中断したとき、該中断時点の動画像ファイルオフセットおよびフレームサイズを前記動画像サムネイルファイルに格納する第２の格納ステップと、
前記第２の格納ステップにおいて格納された動画像ファイルオフセットおよびフレームサイズに基づいて、前記動画像データの中断された再生を再開させる再開ステップと
を有することを特徴とする動画像再生方法。
【請求項１１】
前記第２の格納ステップでは、前記動画像データの再生が中断した時点の画像データを前記動画像サムネイルファイルに格納することを特徴とする請求項１０記載の動画像再生方法。
【請求項１２】
前記動画像ファイルを編集する編集ステップと、
前記編集ステップにおいて前記動画像ファイルの編集が行われたとき、前記動画像サムネイルファイルに格納された動画像管理データを破棄する破棄ステップと
を更に有することを特徴とする請求項１０記載の動画像再生方法。
【請求項１３】
前記再開ステップは、前記第２の格納ステップにおいて格納された動画像ファイルオフセットおよびフレームサイズに基づいて、再生開始時に再生開始フレームを決定する再生開始フレーム決定ステップを含むことを特徴とする請求項１０記載の動画像再生方法。
【請求項１４】
前記第２の格納ステップでは、前記動画像データの再生が中断したとき、該中断時点の
動画像ファイルオフセット、フレームサイズ、およびフレーム番号を前記動画像サムネイルファイルに格納し、
前記動画像データの中断された再生を再開させるとき、前記動画像サムネイルファイルに格納された動画像ファイルオフセット、フレームサイズ、およびフレーム番号と、前記動画像ファイルとの整合性を確認する整合性確認ステップと、
前記整合性確認ステップにおいて整合性の確認がとれなかった場合、前記動画像ファイルにおける先頭フレームを再生開始フレームとする再生開始フレーム決定ステップと
を更に有することを特徴とする請求項１０記載の動画像再生方法。
【請求項１５】
前記第２の格納ステップでは、前記動画像データの再生が中断したとき、該中断時点の動画像ファイルオフセット、フレームサイズ、およびフレーム番号を前記動画像サムネイルファイルに格納し、
前記動画像データの中断された再生を再開させるとき、前記動画像サムネイルファイルに格納された動画像ファイルオフセット、フレームサイズ、およびフレーム番号と、前記動画像ファイルとの整合性を確認する整合性確認ステップと、
前記整合性確認ステップにおいて整合性の確認がとれなかった場合、警告を表示するとともに、動画像データ再生を禁止する再生禁止ステップと
を更に有することを特徴とする請求項１０記載の動画像再生方法。
【請求項１６】
前記動画像データに含まれる所定の静止画像データを印刷装置へ送出する送出ステップと、
前記送出ステップにおいて前記印刷装置に送出された所定の静止画像データに関する情報を前記動画像サムネイルファイルに格納する第３の格納ステップと
を更に有することを特徴とする請求項１０記載の動画像再生方法。
【請求項１７】
前記所定の静止画像データに関する情報は、フレーム番号、動画像ファイルオフセット、およびフレームサイズを含むことを特徴とする請求項１６記載の動画像再生印刷方法。
【請求項１８】
動画像データを再生および編集する動画像再生編集装置に適用される動画像再生編集方法において、
動画像データの所定部分を切り取る編集ステップと、
動画像ファイルに格納された動画像データに基づいて代表画像と動画像管理データとを生成する生成ステップと、
前記生成ステップにおいて生成された代表画像と動画像管理データ、並びに先頭フレーム記録日時を、前記動画像ファイルに対応づけて動画像サムネイルファイルに格納する第１の格納ステップと、
前記動画像ファイルに格納された動画像データに基づいて、該動画像データを再生する再生ステップと、
前記再生ステップによる再生の途中で前記動画像データの再生が中断したとき、該中断時点の動画像ファイルオフセットおよびフレームサイズを前記動画像サムネイルファイルに格納する第２の格納ステップと、
前記編集ステップにおいて、前記動画像データの先頭フレームを含む所定部分が切り取られたとき、前記動画像サムネイルファイルに格納された先頭フレームの記録日時を変更する先頭フレーム記録日時変更ステップと
を有することを特徴とする動画像再生編集方法。
【請求項１９】
動画像データを再生する動画像再生装置に適用される動画像再生方法を、コンピュータに実行させるためのプログラムにおいて、
動画像ファイルに格納された動画像データに基づいて代表画像と動画像管理データとを生成する生成ステップと、
前記生成ステップにおいて生成された代表画像と動画像管理データとを、前記動画像フ
ァイルに対応づけて動画像サムネイルファイルに格納する第１の格納ステップと、
前記動画像ファイルに格納された動画像データに基づいて、該動画像データを再生する再生ステップと、
前記再生ステップによる再生の途中で前記動画像データの再生が中断したとき、該中断時点の動画像ファイルオフセットおよびフレームサイズを前記動画像サムネイルファイルに格納する第２の格納ステップと、
前記第２の格納ステップにおいて格納された動画像ファイルオフセットおよびフレームサイズに基づいて、前記動画像データの中断された再生を再開させる再開ステップと
を有することを特徴とするプログラム。
【請求項２０】
動画像データを再生および編集する動画像再生編集装置に適用される動画像再生編集方法を、コンピュータに実行させるためのプログラムにおいて、
動画像データの所定部分を切り取る編集ステップと、
動画像ファイルに格納された動画像データに基づいて代表画像と動画像管理データとを生成する生成ステップと、
前記生成ステップにおいて生成された代表画像と動画像管理データ、並びに先頭フレームの記録日時を、前記動画像ファイルに対応づけて動画像サムネイルファイルに格納する第１の格納ステップと、
前記動画像ファイルに格納された動画像データに基づいて、該動画像データを再生する再生ステップと、
前記再生ステップによる再生の途中で前記動画像データの再生が中断したとき、該中断時点の動画像ファイルオフセットおよびフレームサイズを前記動画像サムネイルファイルに格納する第２の格納ステップと、
前記編集ステップにおいて、前記動画像データの先頭フレームを含む所定部分が切り取られたとき、前記動画像サムネイルファイルに格納された先頭フレームの記録日時を変更する先頭フレーム記録日時変更ステップと
を有することを特徴とするプログラム。
【手続補正２】
【補正対象書類名】明細書
【補正対象項目名】０００８
【補正方法】変更
【補正の内容】
【０００８】
また、請求項９記載の発明によれば、動画像データを再生および編集する動画像再生編集装置において、動画像データの所定部分を切り取る編集手段と、動画像ファイルに格納された動画像データに基づいて代表画像と動画像管理データとを生成する生成手段と、前記生成手段によって生成された代表画像と動画像管理データ並びに先願フレームの記録日時を、前記動画像ファイルに対応づけて動画像サムネイルファイルに格納する第１の格納手段と、前記動画像ファイルに格納された動画像データに基づいて、該動画像データを再生する再生手段と、前記再生手段による再生の途中で前記動画像データの再生が中断したとき、該中断時点の動画像ファイルオフセットおよびフレームサイズを前記動画像サムネイルファイルに格納する第２の格納手段と、前記編集手段によって、前記動画像データの先頭フレームを含む所定部分が切り取られたとき、前記動画像サムネイルファイルに格納された先頭フレームの記録日時を変更する先頭フレーム記録日時変更手段とを有することを特徴とする動画像再生編集装置が提供される。
【手続補正３】
【補正対象書類名】明細書
【補正対象項目名】００１０
【補正方法】変更
【補正の内容】
【００１０】
また、請求項１８記載の発明によれば、動画像データを再生および編集する動画像再生編集装置に適用される動画像再生編集方法において、動画像データの所定部分を切り取る編集ステップと、動画像ファイルに格納された動画像データに基づいて代表画像と動画像管理データとを生成する生成ステップと、前記生成ステップにおいて生成された代表画像と動画像管理データ、並びに先頭フレームの記録日時を、前記動画像ファイルに対応づけて動画像サムネイルファイルに格納する第１の格納ステップと、前記動画像ファイルに格納された動画像データに基づいて、該動画像データを再生する再生ステップと、前記再生ステップによる再生の途中で前記動画像データの再生が中断したとき、該中断時点の動画像ファイルオフセットおよびフレームサイズを前記動画像サムネイルファイルに格納する第２の格納ステップと、前記編集ステップにおいて、前記動画像データの先頭フレームを含む所定部分が切り取られたとき、前記動画像サムネイルファイルに格納された先頭フレームの記録日時を変更する先頭フレーム記録日時変更ステップとを有することを特徴とする動画像再生編集方法が提供される。